(57)【特許請求の範囲】
【請求項１】
移動端末と無線通信を行なう基地局装置であって、
別の基地局装置から前記基地局装置へのハンドオーバの受け入れ可否を判断する受入部と、
前記受入部が前記ハンドオーバの受け入れを可能と判断した場合、前記別の基地局装置と前記移動端末との間に設定されたベアラを集約または分離するか判断する判断部と、
前記ベアラの集約または分離の判断結果を前記移動端末に通知する通知部と、
を具備することを特徴とする基地局装置。
【請求項２】
前記通知部は、前記ベアラの集約または分離の判断結果を前記ハンドオーバに関する情報とともに基地局制御装置に送信することを特徴とする請求項１記載の基地局装置。
【請求項３】
前記判断部は、前記別の基地局装置と前記基地局装置の無線技術の相違、ベアラの要求品質および前記基地局装置の負荷状況の少なくとも１つに基づき、前記ベアラの集約または分離を判断することを特徴とする請求項１または２記載の基地局装置。
【請求項４】
移動端末と基地局装置との無線通信を制御する基地局制御装置であって、
別の基地局装置から前記基地局装置へのハンドオーバを前記基地局装置に要求する要求部と、
前記基地局装置が前記ハンドオーバの受け入れが可能と判断した場合、前記別の基地局装置と前記移動端末との間に設定されたベアラを集約または分離するか判断する判断部と、
前記ベアラの集約または分離の判断結果を前記移動端末に通知する通知部と、
を具備することを特徴とする基地局制御装置。
【請求項５】
前記通知部は、前記ベアラの集約または分離の判断結果を前記ハンドオーバに関する情報とともに前記移動端末に通知することを特徴とする請求項４記載の基地局制御装置。
【請求項６】
前記判断部は、前記別の基地局装置と前記基地局装置の無線技術の相違、ベアラの要求品質および前記基地局装置の負荷状況の少なくとも１つに基づき、前記ベアラの集約または分離を判断することを特徴とする請求項４または５記載の基地局制御装置。
【請求項７】
基地局装置と無線通信を行なう移動端末であって、
別の基地局装置から前記基地局装置へのハンドオーバを行なうハンドオーバ部と、
前記ハンドオーバ部がハンドオーバする際に、基地局装置から通知された指示に基づき前記別の基地局装置と前記移動端末との間に設定されたベアラを集約または分離するベアラ変更部と、
を具備することを特徴とする移動端末。
【請求項８】
移動端末と、前記移動端末と無線通信する基地局装置と、前記無線通信を制御する基地局制御装置と、を含む通信システムであって、
別の基地局装置から前記基地局装置へのハンドオーバの受け入れ可否を判断する基地局装置と、
前記基地局装置が前記ハンドオーバの受け入れを可能と判断した場合、前記別の基地局装置と前記移動端末との間に設定されたベアラを集約または分離するか判断する基地局制御装置と、
前記ベアラの集約または分離の判断結果に基づき、前記ハンドオーバを行なう際に、前記ベアラを集約または分離する移動端末と、
を具備することを特徴とする通信システム。
【請求項９】
移動端末と無線通信を行なう基地局装置の制御方法であって、
別の基地局装置から前記基地局装置へのハンドオーバの受け入れ可否を判断するステップと、
前記ハンドオーバの受け入れ可否を判断するステップにおいて、前記ハンドオーバの受け入れを可能と判断した場合、前記別の基地局装置と前記移動端末との間に設定されたベアラを集約または分離するか判断するステップと、
前記ベアラの集約または分離の判断結果を前記移動端末に通知するステップと、
を含むことを特徴とする基地局装置の制御方法。
【発明の詳細な説明】
【技術分野】
【０００１】
本発明は、基地局装置、基地局制御装置、移動端末、通信システムおよび基地局装置の制御方法に関する。
【背景技術】
【０００２】
基地局と移動端末とが無線通信を行なう通信システムにおいては、移動端末から基地局を介しコア網のノードまでベアラを設定する。移動端末が元の基地局から先の基地局へハンドオーバする際は、同じ本数および品質のベアラを維持する。【０００３】
ハンドオーバの際、元の基地局と移動端末との間でこれまで割り当てていた回線容量を、ハンドオーバ先の基地局に送信する通信システムが知られている（例えば、特許文献１）。ハンドオーバの際に、ベアラの容量を見直す通信システムが知られている（例えば、特許文献２）。
【先行技術文献】
【特許文献】
【０００４】
【特許文献１】国際公開９９／３１８２３号パンフレット
【特許文献２】特表２００３−５２４３３５号公報
【発明の概要】
【発明が解決しようとする課題】
【０００５】
基地局間でハンドオーバした際に、ベアラの本数を減らしても通信品質を維持できる場合がある。例えば、ハンドオーバ元の基地局を含む無線アクセスシステムに比べ、ハンドオーバ先の基地局を含む無線アクセスシステムがベアラの基本性能が高い場合等である。一方、基地局間でハンドオーバした際に、ベアラの本数を増加させないと通信品質を維持できない場合もある。【０００６】
本基地局装置、基地局制御装置、移動端末、通信システムおよび基地局装置の制御方法は、ベアラの設定を適切に行なうことを目的とする。
【課題を解決するための手段】
【０００７】
例えば、移動端末と無線通信を行なう基地局装置であって、別の基地局装置から前記基地局装置へのハンドオーバの受け入れ可否を判断する受入部と、前記受入部が前記ハンドオーバの受け入れを可能と判断した場合、前記別の基地局装置と前記移動端末との間に設定されたベアラを集約または分離するか判断する判断部と、前記ベアラの集約または分離の判断結果を前記移動端末に通知する通知部と、を具備する基地局装置を用いる。【０００８】
また、例えば、移動端末と基地局装置との無線通信を制御する基地局制御装置であって、別の基地局装置から前記基地局装置へのハンドオーバを前記基地局装置に要求する要求部と、前記基地局装置が前記ハンドオーバの受け入れが可能と判断した場合、前記別の基地局装置と前記移動端末との間に設定されたベアラを集約または分離するか判断する判断部と、前記ベアラの集約または分離の判断結果を前記移動端末に通知する通知部と、具備する基地局制御装置を用いる。【０００９】
また、例えば、基地局装置と無線通信を行なう移動端末であって、別の基地局装置から前記基地局装置へのハンドオーバを行なうハンドオーバ部と、前記ハンドオーバ部がハンドオーバする際に、基地局装置から通知された指示に基づき前記別の基地局装置と前記移動端末との間に設定されたベアラを集約または分離するベアラ変更部と、を具備する移動端末を用いる。【００１０】
また、例えば、移動端末と、前記移動端末と無線通信する基地局装置と、前記無線通信を制御する基地局制御装置と、を含む通信システムであって、別の基地局装置から前記基地局装置へのハンドオーバの受け入れ可否を判断する基地局装置と、前記基地局装置が前記ハンドオーバの受け入れを可能と判断した場合、前記別の基地局装置と前記移動端末との間に設定されたベアラを集約または分離するか判断する基地局制御装置と、前記ベアラの集約または分離の判断結果に基づき、前記ハンドオーバを行なう際に、前記ベアラを集約または分離する移動端末と、を具備する通信システムを用いる。
【００１１】
また、例えば、移動端末と無線通信を行なう基地局装置の制御方法であって、別の基地局装置から前記基地局装置へのハンドオーバの受け入れ可否を判断するステップと、前記ハンドオーバの受け入れ可否を判断するステップにおいて、前記ハンドオーバの受け入れを可能と判断した場合、前記別の基地局装置と前記移動端末との間に設定されたベアラを集約または分離するか判断するステップと、前記ベアラの集約または分離の判断結果を前記移動端末に通知するステップと、を含むことを特徴とする基地局装置の制御方法を用いる。
【発明の効果】
【００１２】
本基地局装置、基地局制御装置、移動端末、通信システムおよび基地局装置の制御方法によれば、ベアラの設定を適切に行なうことができる。
【図面の簡単な説明】
【００１３】
【図１】図１は、実施例１に係る無線通信システムの例を示すブロック図である。
【図２】図２は、移動端末のブロック図である。
【図３】図３は、基地局のブロック図である。
【図４】図４は、ＰＤＮ−ＧＷのブロック図である。
【図５】図５は、ＭＭＥのブロック図である。
【図６】図６は、実施例１の通信システムのシーケンス図である。
【図７】図７は、ターゲット基地局の処理を示すフローチャートである。
【図８】図８は、ターゲット基地局が受信するハンドオーバ要求メッセージの例を示す図である
【図９】図９は、ターゲット基地局のベアラ集約分離制御部が行なう処理を示すフローチャートである。
【図１０】図１０は、ターゲット基地局が有するベアラ集約のためのルールセットテーブルの例を示している。
【図１１】図１１は、ターゲット基地局が送信するハンドオーバ要求の応答メッセージの例を示す図である。
【図１２】図１２は、移動端末の処理を示すフローチャートである。
【図１３】図１３は、ハンドオーバ指示のメッセージの一部を示している。
【図１４】図１４（ａ）および図１４（ｂ）は、移動端末およびＰＤＮ−ＧＷがベアラの集約および分離を行なう方法について説明する図である。
【図１５】図１５は、実施例２のＭＭＥが行なう処理を示すフローチャートである。
【図１６】図１６は、ＭＭＥのベアラ集約分離制御部が行なう処理を示すフローチャートである。
【発明を実施するための形態】
【００１４】
以下、図面を参照に実施例を説明する。
【実施例１】
【００１５】
図１は、実施例１に係る無線通信システムの例を示すブロック図である。実施例１では、３ＧＰＰ（3rd Generation Partner ship Project）のＵＴＲＡ（Universal Terrestrial Radio Access）と次世代の通信システムであるＬＴＥ（Long Term Evolution）のｅＵＴＲＡ（Evolved Universal Terrestrial Radio Access）との間のハンドオーバを例に説明する。【００１６】
図１を参照し、無線アクセスシステム２６ａはＵＴＲＡであり、無線アクセスシステム２６ｂはｅＵＴＲＡである。無線アクセスシステム２６ａの基地局１０ａは、ＲＮＣ（Radio Network Controller）＋ＢＳ（Base Station）である。無線アクセスシステム２６ｂの基地局１０ｂはｅＮＢ（E-UTRAN NodeB）である。基地局１０ａおよび１０ｂは、移動端末１２（ＵＥ：User Equipment）と無線通信を行なう。無線アクセスシステム２６ａとコア網システム２８との無線アクセスシステムＧＷ（Gate Way）ノード１４は、ＳＧＳＮ（Serving GPRS Support Node）１４ａとＳ−ＧＷ（Serving GateWay）１４ｂを含んでいる。コア網ＧＷノードはＰＤＮ−ＧＷ（Packet Data Network GW）２０である。ＰＤＮ−ＧＷ２０はネットワーク２２を介し対向するノード２４と接続されている。【００１７】
移動端末１２と対向ノード２４とのデータの送受信は、基地局１０ａ、ＳＧＳＮ１４ａ、Ｓ−ＧＷ１４ｂおよびＰＤＮ−ＧＷ２０を経由するユーザプレーンを確立して行なわれる。または、基地局１０ｂ、Ｓ−ＧＷ１６、ＰＤＮ−ＧＷ２０を経由するユーザプレーンを確立して行なわれる。コア網システム２８内の移動管理ノードであるＭＭＥ（Mobility Management Entity）１８は、ＳＧＳＮ１４ａおよびＳ−ＧＷ１４ｂを経由して移動端末１２の移動を制御する。また、ＭＭＥ１８は、Ｓ−ＧＷ１６を経由して移動端末１２の移動を管理する。【００１８】
図２は、移動端末１２のブロック図である。移動端末１２は、ネットワークインターフェース部３０ａ、３０ｂ、通信データ処理部３２、通信アプリケーション部３３、ベアラ制御部３４、アクセスシステムサービス制御部３５ａおよび３５ｂを備えている。各構成部はバス３１で接続されている。ネットワークインターフェース部３０ａおよび３０ｂは、それぞれ基地局１０ａおよび１０ｂとのレイヤ１〜３プロトコルの終端を行なう。このように、ネットワークインターフェース部３０ａおよび３０ｂは無線アクセスシステムがＵＴＲＡとｅＵＴＲＡとが複数存在することに応じ、複数設けられている。基地局１０ａおよび１０ｂから受信したデータを通信データ処理部３２にバス３１を介し送信し、通信データ処理部３２から受信したデータを基地局１０ａおよび１０ｂに送信する。【００１９】
通信データ処理部３２は、ベアラ設定情報に基づき、通信アプリケーション部３３とＰＤＮ−ＧＷ２０とのデータの送受信を、ベアラを用いて行なう。このデータ送受信のためのテータ転送用プロトコルに関する処理を行なう。さらに、ベアラ設定メッセージ等の自装置宛の信号情報を認識し、信号情報を処理する他の機能（他の部）とのデータの送受信を行なう。【００２０】
ベアラ制御部３４は、ベアラ制御信号の他の部処理結果を受け、通信データ処理部３２にベアラ設定を行なわせる。このように、ベアラ制御情報の管理を行なう。さらに、ベアラ制御部３４は、ハンドオーバ管理部３７およびベアラ集約分離制御部３８を含んでいる。ハンドオーバ管理部３７は、ハンドオーバの管理を行なう。ベアラ集約分離制御部３８は、ベアラの集約または分離の制御を行なう。【００２１】
アクセスシステムサービス制御部３５ａおよび３５ｂは、それぞれ無線アクセスシステム２６ａおよび２６ｂに対応した信号を終端する。このように、アクセスシステムサービス制御部３５ａおよび３５ｂは、無線アクセスシステム２６ａおよび２６ｂが複数設けられていることに応じ、複数設けられている。アクセスシステムサービス制御部３５ａおよび３５ｂは、それぞれ無線アクセスシステム２６ａおよび２６ｂに応じ、ユーザプレーンの設定および解放、移動管理等の制御を行なう。
【００２２】
通信アプリケーション部３３は、移動端末１２のユーザが使用するアプリケーションの動作を行なう。対向ノード２４と送受信するデータの送信元および受信元となる。【００２３】
図３は、基地局１０ａおよび１０ｂのブロック図である。基地局１０ａおよび１０ｂは、各々ネットワークインターフェース部４０、４９、通信データ処理部４２、ベアラ制御部４４、無線網サービス制御部４３およびコア網サービス制御部４５を備えている。各構成部はバス４１で接続されている。ネットワークインターフェース部４０は、移動端末１２とのデータの送受信を行なう。ネットワークインターフェース部４９は、ＧＷノード１４またはＳ−ＧＷ１６とのデータの送受信を行なう。基地局１０ｂのネットワークインターフェース部４９は、ＭＭＥ１８とのデータの送受信も行なう。【００２４】
通信データ処理部４２は、データのルーティングおよびデータ転送用プロトコル等の処理を行なう。ベアラ制御部４４は、通信データ処理部４２にベアラ設定を行なわせる。また、ベアラ制御部４４は、ハンドオーバ管理部４７およびベアラ集約分離制御部４８を含んでいる。ハンドオーバ管理部４７はハンドオーバの管理を行なう。ベアラ集約分離制御部４８は、ベアラの集約および分離の制御を行なう。【００２５】
無線網サービス制御部４３は、移動端末１２とのサービス制御信号を終端し、無線区間の通信路の設定および開放および移動管理を行なう。コア網サービス制御部４５は、コア網システム２８とのサービス制御信号を終端し、無線区間以外の通信路の設定および開放および移動管理を行なう。
【００２６】
図４は、ＰＤＮ−ＧＷ２０のブロック図である。ＰＤＮ−ＧＷ２０は、ネットワークインターフェース部５０、通信データ処理部５２、ベアラ制御部５４およびコア網サービス制御部５５を備えている。各構成部はバス５１で接続されている。ネットワークインターフェース部５０は、ネットワーク２２を介し対向ノード２４とデータの送受信を行なう。また、コア網システム２８内とのデータの送受信を行なう。【００２７】
通信データ処理部５２は、データのルーティングおよびデータ転送用プロトコル等の処理を行なう。ベアラ制御部５４は、通信データ処理部５２にベアラ設定を行なわせる。また、ベアラ制御部５４は、ハンドオーバ管理部５７およびベアラ集約分離制御部５８を含んでいる。ハンドオーバ管理部５７はハンドオーバの管理を行なう。ベアラ集約分離制御部５８は、ベアラの集約および分離の制御を行なう。【００２８】
コア網サービス制御部５５は、コア網システム２８とのサービス制御信号を終端し、無線区間以外の通信路の設定および開放および移動管理を行なう。
【００２９】
図５は、ＭＭＥ１８のブロック図である。ＭＭＥ１８は、ネットワークインターフェース部６０、通信データ処理部６２、ベアラ制御部６４、無線網サービス制御部６３およびコア網サービス制御部６５を備えている。各構成部はバス６１で接続されている。ネットワークインターフェース部６０は、ＳＧＳＮ１４ａ、Ｓ−ＧＷ１４ｂおよびＳ−ＧＷ１６と制御データの送受信を行なう。【００３０】
通信データ処理部６２は、データのルーティングおよびデータ転送用プロトコル等の処理を行なう。ベアラ制御部６４は、通信データ処理部６２にベアラ設定を行なわせる。また、ベアラ制御部６４は、ハンドオーバ管理部６７およびベアラ集約分離制御部６８を含んでいる。ハンドオーバ管理部６７はハンドオーバの管理を行なう。ベアラ集約分離制御部６８は、ベアラの集約および分離の制御を行なう。【００３１】
無線網サービス制御部６３は、移動端末１２とのサービス制御信号を終端し、無線区間の通信路の設定および開放および移動管理を行なう。コア網サービス制御部６５は、コア網システム２８とのサービス制御信号を終端し、無線区間以外の通信路の設定および開放および移動管理を行なう。
【００３２】
図６は、実施例１の通信システムのシーケンス図である。基地局１０ａがハンドオーバ元（ソース）、基地局１０ｂがハンドオーバ先（ターゲット）の場合の例である。移動端末１２は基地局１０ａと通信しており、移動端末１２とＰＤＮ−ＧＷ２０との間に基地局１０ａおよびＳ−ＧＷ１４ｂを介しユーザプレーン７０が設定されている。ユーザプレーン７０として、ベアラ７２ａおよび７２ｂの２つのベアラが設定されている。ベアラ７２ａは、例えばデータ用のベアラであり、ベアラ７２ｂは例えば音声用のベアラである。【００３３】
基地局１０ａのハンドオーバ管理部４７は、ハンドオーバ（ＨＯ）を行なうかの判断を行なう（ステップＳ１０）。ソース基地局１０ａはＳＧＳＮ１４ａにリロケーション要求を行なう（ステップＳ１２）。ＳＧＳＮ１４ａはＭＭＥ１８にリロケーション要求を転送する（ステップＳ１４）。ＭＭＥ１８は、ターゲット基地局１０ｂにハンドオーバを要求する（ステップＳ１６）。基地局１０ｂのハンドオーバ管理部４７は、ハンドオーバの受け入れ判断を行なう（ステップＳ１８）。基地局１０ｂのベアラ集約分離制御部４８は、ベアラの集約または分離を行なうか判断する（ステップＳ２０）。図６の例では、ベアラを集約すると判断する。【００３４】
基地局１０ｂはＭＭＥ１８にハンドオーバ要求の応答を行なう（ステップＳ２２）。この応答メッセージ内にはベアラの集約の指示も含まれている。ＭＭＥ１８は、ＳＧＳＮ１４ａにリロケーション要求を転送する（ステップＳ２４）。ＳＧＳＮ１４ａは基地局１０ａにリロケーション指示を行なう（ステップＳ２６）。基地局１０ａは、移動端末１２にＵＴＲＡＮからｅＵＴＲＡＮへのハンドオーバを指示する（ステップＳ２８）。移動端末１２と基地局１０ｂとは、無線アクセスを確立する（ステップＳ３０）。基地局１０ａからのハンドオーバ指示のメッセージにはベアラの集約指示も含まれている。そこで、移動端末１２のベアラ集約分離制御部３８は、ベアラの集約を行なう（ステップＳ３２）。【００３５】
移動端末１２は基地局１０ｂにｅＵＴＲＡＮへのハンドオーバの完了を報告する（ステップＳ３４）。基地局１０ｂはＭＭＥ１８にハンドオーバの完了を通知する（ステップＳ３６）。ＳＧＳＮ１４ａはＭＭＥ１８にリロケーションの完了を報告する（ステップＳ３８）。ＭＭＥ１８はＳＧＳＮ１４ａにリロケーション完了に対する応答を行なう（ステップＳ４０）。ＭＭＥ１８は、Ｓ−ＧＷ１６およびＰＤＮ−ＧＷ２０にベアラ設定を指示する（ステップＳ４２）。ベアラ設定の指示には、ベアラ集約の指示も含まれている。そこで、ＰＤＮ−ＧＷのベアラ集約分割制御部６８は、ベアラを集約し設定する（ステップＳ５０）。以上により、移動端末１２とＰＤＮ−ＧＷ２０との間に基地局１０ｂおよびＳ−ＧＷ１６を介しユーザプレーン７４が設定される。ユーザプレーン７４として、１つのベアラ７６が設定される。よって、移動端末１２と基地局１０ａが通信している際は、２つのベアラ７２ａおよび７２ｂであったベアラが、基地局１０ｂにハンドオーバしたことにより、１つのベアラ７６に集約することができる。【００３６】
図７は、基地局１０ｂの処理を示すフローチャートである。図７のように、基地局１０ｂのハンドオーバ管理部４７は、ＭＭＥ１８からハンドオーバ要求を受信する（ステップＳ６０）。このステップは、図６のステップＳ１６に対応する。
【００３７】
図８は、基地局１０ｂが受信するハンドオーバ要求メッセージの例を示す図である。図８を参照し、Ｈａｎｄｏｖｅｒ  Ｔｙｐｅ（領域８０）には、ソース基地局１０ａを示す情報等が記載されている。Ｅ−ＲＡＢｓ  Ｔｏ  Ｂｅ  Ｓｅｔｕｐ  ＩｔｅｍＩＥｓ(領域８２)には、ソース基地局１０ａに設定されているベアラ７２ａおよび７２ｂの各ＩＤ（ベアラを識別するための情報）等が記載されている。Ｅ−ＲＡＢ  Ｌｅｖｅｌ  ＱｏＳ  Ｐａｒａｍｅｔｅｒｓ（領域８４）には、ソース基地局１０ａに設定されているベアラ７２ａおよび７２ｂの各品質クラスが記載されている。
【００３８】
図７に戻り、基地局１０ｂのハンドオーバ管理部４７は、ハンドオーバを受け入れの可否を判断する（ステップＳ６２）。Ｎｏの場合、ステップＳ７０に進み、ステップＳ７０において、ハンドオーバ管理部４７は、ハンドオーバを受け入れないことをＭＭＥ１８に送信する。【００３９】
ステップＳ６２においてＹｅｓの場合、基地局１０ｂの通信データ処理部４２は、基地局１０ｂが送受信する負荷状況を検出する（ステップＳ６４）。例えば、基地局１０ｂが所定時間内に処理するメッセージ量およびユーザプレーンデータ量の少なくとも一方を検出する。基地局１０ｂのベアラ集約分離制御部４８は、基地局１０ｂの負荷が所定量ｔｈ以上か判断する（ステップＳ６６）。例えば、上記所定時間内のメッセージ量が所定量以上かを判断する。Ｎｏの場合、ステップＳ７０に進む。Ｙｅｓの場合、ベアラ集約分離制御部４８は、ベアラを集約するか、分離するかを判断する（ステップＳ６８）。ハンドオーバ管理部４７はＭＭＥ１８に、ハンドオーバ要求の応答を行なう（ステップＳ７０）。【００４０】
図９は、図７のステップＳ６８における基地局１０ｂのベアラ集約分離制御部４８が行なう処理を示すフローチャートである。ベアラ集約分離制御部４８は、ハンドオーバがベアラを集約するタイプか否かを判断する（ステップＳ８０）。例えば、ＵＴＲＡＮの基地局１０ａからｅＵＴＲＡＮの基地局１０ｂへのハンドオーバの場合、ベアラの基本性能が高くなる方向のハンドオーバである。よって、ベアラ集約分離制御部４８は、ハンドオーバがベアラを集約するタイプと判断する。ハンドオーバにより、ベアラの基本性能が変わらない場合またはベアラの基本性能が低くなる場合、ベアラ集約分離制御部４８はＮｏと判断する。ステップＳ８０においてＹｅｓの場合、ベアラ集約分離制御部４８は、集約のルールが存在するか判断する（ステップＳ８２）。例えば、ベアラ集約分離制御部４８は、集約ルールに合致するベアラ群が図８のハンドオーバ要求メッセージの領域８２および８４に記載されているか判断する。
【００４１】
ステップＳ８２の例を説明する。図１０は、基地局１０ｂが有するベアラ集約のためのルールセットテーブルの例を示している。図１０を参照し、基地局１０ｂには、ハンドオーバ元のアクセスシステム種別ごとに、複数のルールセットテーブル１００ａ〜１００ｃが準備されている。ルールセットテーブル１００ａ〜１００ｃには、各々有効適用ルール数、適用ルールＩＤ、対象クラス、マッピングクラスおよびパラメータ更新ルールが格納されている。【００４２】
有効適用ルール数は、ハンドオーバ元のアクセスシステム（この例では基地局１０ａ）から基地局１０ｂにハンドオーバした場合に、ベアラが集約できるルールの数である。この例では、有効な適用ルールは１である。適用ルールＩＤは、ベアラを集約するルールのＩＤである。ＩＤは適用する優先度を兼ねてもよい。対象クラスは、ハンドオーバ元のベアラの品質クラスを示している。この例では１と２である。マッピングクラスは、集約後の品質クラスであり、この例では２である。これらより、基地局１０ａから基地局１０ｂへのハンドオーバでは、ＵＴＲＡＮのクラス１のベアラ７２ａとクラス２のベアラ７２ｂを、ｅＵＴＲＡＮのクラス２のベアラ７６に集約できることを示している。更新ルールは、ベアラを集約した場合のルール等を示している。例えば、この例では、帯域単純加算であり、ベアラ７２ａの帯域とベアラ７２ｂの帯域を単純に加算した帯域をベアラ７６の帯域とする。【００４３】
図９のステップＳ８２において、ベアラ集約分離制御部４８は、図８の領域８０に記載されているハンドオーバタイプの記載からハンドオーバ元の無線アクセスシステム種別を判断することができる。領域８２からベアラの種類を領域８４からハンドオーバ元のベアラの品質クラスを認識できる。よって、ベアラ集約分離制御部４８は、図１０より、ベアラを集約するルールが存在するか判断することができる。【００４４】
図９のステップＳ８２においてＮｏの場合、終了する。すなわち、ベアラの集約および分離は行なわない。図９のステップＳ８２においてＹｅｓの場合、ベアラを集約することをハンドオーバ要求の応答メッセージに追加する（ステップＳ８４）。【００４５】
図１１は、基地局１０ｂが送信するハンドオーバ要求の応答メッセージの例を示す図である。図１１を参照し、Ｅ−ＲＡＢｓ  Ａｄｍｉｔｔｅｄ  Ｆｏｒｗａｒｄ  Ｌｉｓｔ(領域８６)には、集約前のベアラの情報が記載されている。ベアラ集約分離制御部４８は、ハンドオーバ要求の応答メッセージに領域９２を追加する。詳細には、ベアラ集約分離制御部４８は、Ｅ−ＲＡＢ  Ｇｒｏｕｐｉｎｇ  Ｌｉｓｔとして、集約するベアラのグループ数を領域８８に記載する。また、各グループにおける、集約するベアラの数、集約するベアラのＩＤを領域９０に記載する。
【００４６】
図９に戻り、ステップＳ８４の後終了する。ステップＳ８０においてＮｏの場合、ベアラ集約分離制御部４８は、ハンドオーバがベアラを分離するタイプか否かを判断する（ステップＳ８６）。例えば、ベアラの基本性能が低くなる方向のハンドオーバの場合、ベアラを分離するタイプと判断する。ハンドオーバにより、ベアラの基本性能が変わらない場合、ベアラ集約分離制御部４８はＮｏと判断する。ステップＳ８６においてＹｅｓの場合、ベアラ集約分離制御部４８は、ハンドオーバ要求メッセージに事前に追記した集約情報が記載されているか判断する（ステップＳ８８）。例えば、図１１においてハンドオーバ要求の応答メッセージに追加したベアラの集約に関する情報は、この後、各メッセージに記載される。このため、ベアラ集約分離制御部４８は、ハンドオーバ要求のメッセージに、ハンドオーバ元で用いているベアラがハンドオーバ先のどのベアラを集約したベアラかの情報が記載されているか否かを判断する。ステップＳ８８においてＮｏの場合、ベアラ集約分離制御部４８はどのベアラに分離すればよいか判断できないため、そのまま終了する。【００４７】
ステップＳ８８においてＹｅｓの場合、ベアラ集約分離制御部４８は、分離ルールが存在するか判断する（ステップＳ９０）。例えば、図１０の適用ルールＩＤが１５のルールで集約したベアラを分離する場合、対象クラス1、２に相当するベアラのＩＤがハンドオーバ要求メッセージに存在するか判断する。Ｎｏの場合、分離した後のベアラＩＤが認識できないため終了する。Ｙｅｓの場合、ベアラを分離することをハンドオーバ要求の応答メッセージに追加する（ステップＳ９２）。例えば、図１１のハンドオーバ要求の応答メッセージからベアラの集約に関するメッセージ（領域９２）を削除する。その後終了する。【００４８】
図１２は、移動端末１２の処理を示すフローチャートである。図１２を参照し、移動端末１２のハンドオーバ管理部３７は基地局１０ａからハンドオーバ指示を受信する（ステップＳ１００）。このステップは、図６のステップＳ２８に対応する。ハンドオーバ管理部３７はハンドオーバを実行する（ステップＳ１０２）。このステップは、図６のステップＳ３０に対応する。移動端末１２のベアラ集約分離制御部３８は、ハンドオーバ指示のメッセージにベアラの集約情報が含まれているか判断する（ステップＳ１０４）。【００４９】
図１３は、ハンドオーバ指示のメッセージの一部を示している。図１３を参照し、Ｔａｒｇｅｔ  ｔｏ  Ｓｏｕｒｃｅ  Ｔｒａｎｓｐａｔｒｅｎｔ  Ｃｏｍｔａｉｎｅｒ情報９４は、ターゲット基地局１０ｂからソース基地局１０ａに転送されるメッセージである。このメッセージ９４には、図１１の領域９２と同じメッセージが存在している。これにより、ベアラ集約分離制御部３８は、ステップＳ１０４においてＹｅｓと判断する。【００５０】
ステップＳ１０４においてハンドオーバ管理部３７は、集約するベアラ以外のベアラの設定を行なう（ステップＳ１０６）。このステップは、図６のステップＳ３０に対応する。ベアラ集約分離制御部３８は、基地局１０ｂから通知された指示に基づきベアラを集約し設定する（ステップＳ１０８）。例えば、ベアラ７２ａおよび７２ｂをベアラ７６に集約し設定する。このステップは、図６のステップＳ３２に対応する。ステップＳ１０４においてＮｏの場合、ハンドオーバ管理部３７は、ベアラの設定を行なう（ステップＳ１１０）。ベアラ集約分離制御部３８は、ベアラの集約は行なわない。図９のステップＳ９２において、基地局１０ｂがベアラの分離をメッセージに追加した場合、例えば図１３の領域９２が削除されている、よって、ステップＳ１０４において、Ｎｏと判断される。これにより、個々のベアラが設定され、結果的にベアラは分離される。【００５１】
ＰＤＮ−ＧＷ２０においても、図６のステップＳ４２およびＳ５０において、図１２のステップＳ１０４からＳ１１０と同様の処理を行なうことにより、ベアラの集約分離を行なうことができる。【００５２】
図１４（ａ）および図１４（ｂ）は、移動端末１２およびＰＤＮ−ＧＷ２０が図１２のステップＳ１０６からＳ１１０においてベアラの集約および分離を行なう方法について説明する図である。移動端末１２を例に説明する。【００５３】
図１４（ａ）は、ベアラを集約しない場合のテーブルの例である。図１４（ａ）のように、テーブル１１０では、フィルタ情報にベアラ情報が対応付けられている。フィルタ情報には、ＩＰフロー識別情報、送信元アドレスおよびあて先アドレス等が含まれている。ベアラ情報には、ベアラのＩＤが含まれている。移動端末１２はパケットデータのヘッダからＩＰフロー識別情報、送信元アドレスおよびあて先アドレスを認識する。これにより、移動端末１２は、テーブル１１０を用いることにより、このパケットデータをいずれのベアラを用い送信するか判断することができる。【００５４】
図１４（ｂ）は、ベアラを集約する場合のテーブルの例である。図１４（ｂ）のように、図１２のステップＳ１０８において、ベアラを集約する場合には、テーブル１１０のフィルタ情報とベアラ情報との間に中間テーブル１１２を設ける。中間テーブル１１２では、フィルタ情報１、ｎはベアラ情報にそのまま対応する。一方フィルタ情報２および３は、集約部１１４により、いずれもベアラＣに対応する。これにより、フィルタ情報２および３に相当するパケットデータは、ベアラＣを用い送信される。【００５５】
図１４（ａ）のように、中間テーブル１１２を用いずパケットデータを送信する場合、集約されていないベアラを経由しパケットデータが送信される。一方、図１４（ｂ）のように、中間テーブル１１２を用いパケットデータを送信する場合、集約されたベアラを経由しパケットデータが送信される。【００５６】
実施例１の基地局１０ｂによれば、図７のステップＳ６２のように、基地局１０ｂの受入部（例えばハンドオーバ管理部４７）は、別の基地局装置（例えば基地局１０ａ）から基地局１０ｂへのハンドオーバの受け入れ可否を判断する。ステップＳ６８のように、受入部が受け入れ可能と判断した場合、基地局１０ｂの判断部（例えばベアラ集約分離制御部４８)は、別の基地局装置（例えば基地局１０ａ）と移動端末１２との間に設定されたベアラを集約または分離するか判断する。ステップＳ７０のように、通知部（例えばベアラ集約分離制御部４８)は、ベアラの集約または分離の指示を移動端末１２に通知する。【００５７】
実施例１の移動端末１２によれば、図１２のステップＳ１０２のように、ハンドオーバ部（例えばハンドオーバ管理部３７）が基地局１０ａから基地局１０ｂへのハンドオーバを行なう。ステップＳ１０８のように、ベアラ変更部（例えばベアラ集約分離制御部３８）は、ハンドオーバ管理部３７がハンドオーバする際に、基地局１０ｂと移動端末１２との間に設定されたベアラを集約または分離する。ベアラ変更部は、基地局から通知された指示に基づきベアラを集約または分離する。【００５８】
実施例１のようなベアラの集約を行なわない場合、図６のステップＳ３０、Ｓ３４およびＳ４２において、移動端末１２とＰＤＮ−ＧＷ２０との間には、ベアラ７２ａおよび７２ｂに対応する２つのベアラが設定される。通信性能が高い無線アクセスシステム（例えば、ｅＵＴＲＡＮ）に通信性能が低いシステム（例えばＵＴＲＡＮ）からハンドオーバする場合、ベアラの通信性能が向上する。このため、ベアラの本数を減らしても通信品質を維持できる場合がある。しかしながら、ベアラを設定してからベアラの本数を減らすのでは、ベアラの本数を減らすために用いるメッセージ数が多くなってしまう。
【００５９】
実施例１によれば、このような場合、ベアラを集約することができるため、通信システムのリソースを開放することができる。一方、通信性能が低い無線アクセスシステムに通信性能が高いシステムからハンドオーバする場合、ベアラの本数を増加させないと通信品質を維持できない場合もある。実施例１によれば、このような場合、ベアラを分離し通信品質を維持することができる。このように、実施例１によれば、ベアラの設定を適切に行なうことができる。
【００６０】
さらに、実施例１によれば、ハンドオーバ管理部４７がハンドオーバの受け入れの可否を判断する際に、ベアラ集約分離制御部４８はベアラの集約分離を判断している。これにより、ベアラを設定後にベアラの集約または分離を行なう場合に比べ、ベアラの集約または分離するためのメッセージ数の送受信を削減することができる。【００６１】
また、実施例１によれば、図１１のように、通知部（例えばベアラ集約分離制御部４８）は、ベアラの集約または分離の指示を、ハンドオーバ要求応答（ハンドオーバに関するメッセージ）とともに移動端末１２に送信する。これにより、メッセージの削減を図ることができる。【００６２】
さらに、判断部（例えばベアラ集約分離制御部４８）は、図９のステップＳ８０のように基地局１０ａと基地局１０ｂとの無線技術の相違（例えば通信性能の相違）に基づいて、ベアラの集約または分離を判断することができる。また、判断部（例えばベアラ集約分離制御部４８）は、図９のステップＳ８２および図１０のようにベアラの要求品質に基づいてベアラの集約または分離を判断することができる。さらに、判断部（例えばベアラ集約分離制御部４８）は、図７のステップＳ６６のように基地局１０ｂの負荷状況に基づき、ベアラの集約または分離を判断することができる。例えば、基地局１０ｂの負荷が大きい場合は、ベアラを集約し、開放されたリソースを他のベアラ設定に用いることができる。一方、基地局１０ｂの負荷が小さい場合は、ベアラの集約は行なわず、ベアラの集約を行なうための処理を削減することができる。
【実施例２】
【００６３】
実施例２は、ＭＭＥ１８がベアラの集約分離の判断をする例である。図１５は、実施例２のＭＭＥ１８の処理を示すフローチャートである。ＭＭＥ１８のハンドオーバ管理部６７は、基地局１０ｂにハンドオーバ要求を送信する（ステップＳ１２０）。このステップは、図６のステップＳ１６に対応する。ハンドオーバ管理部６７は、基地局１０ｂからハンドオーバ要求の応答を受信する（ステップＳ１２２）。このステップは、図６のステップＳ２２に対応する。ＭＭＥ１８の通信データ処理部６２は、基地局１０ｂが送受信する負荷状況を検出する（ステップＳ１２４）。ベアラ集約分離制御部６８は、基地局１０ｂの負荷が所定量ｔｈ以上か判断する（ステップＳ１２６）。Ｎｏの場合、ステップＳ１３０に進む。Ｙｅｓの場合、ベアラ集約分離制御部６８は、ベアラを集約するか、分離するかを判断する（ステップＳ１２８）。ハンドオーバ管理部６７はＳＧＳＮ１４ａに、ハンドオーバ指示を行なう（ステップＳ１３０）。【００６４】
図１６は、図１５のステップＳ１２８におけるＭＭＥ１８のベアラ集約分離制御部６８が行なう処理を示すフローチャートである。図９のステップＳ８８が行なわれない以外の処理は実施例１の基地局１０ｂのベアラ集約分離制御部６８が行なう処理と同じであり説明を省略する。【００６５】
実施例２の基地局制御装置（例えばＭＭＥ１８）によれば、図１５のステップＳ１２０のように、ＭＭＥ１８の要求部（例えばハンドオーバ管理部６７）は、別の基地局装置（例えば基地局１０ａ）から基地局装置（例えば基地局１０ｂ）へのハンドオーバを基地局１０ｂに要求する。ステップＳ１２８のように、判断部（例えばベアラ集約分離判断部６８）は、基地局１０ｂがハンドオーバの受け入れが可能と判断した場合、基地局１０ａと移動端末１２との間に設定されたベアラを集約または分離するか判断する。ステップＳ１３０のように、通知部（例えばベアラ集約分離判断部６８）は、ベアラの集約または分離の判断結果を移動端末１２に通知する。このように、基地局１０ａと移動端末１２との間に設定されたベアラを集約または分離するかの判断は、ＭＭＥ１８（基地局制御装置）のベアラ集約分離制御部６８が行なってもよい。
【００６６】
ＭＭＥ１８の通知部（例えばベアラ集約分離判断部６８）は、ベアラの集約または分離の指示をリロケーション指示（ハンドオーバに関するメッセージ）とともに移動端末１２に通知する。これにより、メッセージの削減を図ることができる。【００６７】
さらに、判断部は、実施例１と同様に、基地局１０ａと基地局１０ｂとの無線技術の相違、ベアラの要求品質および基地局１０ｂの負荷状況の少なくとも１つに基づき、ベアラの集約または分離を判断することができる。【００６８】
さらに、判断部は、図１６のステップＳ８０のように基地局１０ａと基地局１０ｂとの無線技術の相違（例えば通信性能の相違）に基づいて、ベアラの集約または分離を判断することができる。また、判断部は、図１６のステップＳ８２および図１０のようにベアラの要求品質に基づいてベアラの集約または分離を判断することができる。さらに、判断部は、図１５のステップＳ１２６のように基地局１０ｂの負荷状況に基づき、ベアラの集約または分離を判断することができる。
【００６９】
実施例１および２では、基地局１０ａ（別の基地局装置）が３ＧＰＰ  ＵＴＲＡ技術を用いた基地局装置であり、基地局１０ｂ（基地局装置）が３ＧＰＰ  ｅＵＴＲＡ技術を用いた基地局装置の場合を例に説明した。この場合、通信性能が低いシステムから通信性能が高いシステムへのハンドオーバである。よって、ベアラ集約分離制御部４８は、ベアラを集約するか否かを判断することが好ましい。基地局１０ａおよび１０ｂは他の通信技術を用いた基地局でもよい。すなわち無線アクセスシステム２６ａおよび２６ｂは、他の通信技術を用いた無線アクセスシステムでもよい。【００７０】
以上、本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００７１】
１０ａ、１０ｂ  基地局
１２            移動端末
１４            ＧＷノード
１６            Ｓ−ＧＷ
１８            ＭＭＥ
２０            ＰＤＮ−ＧＷ
７２ａ、７２ｂ  ベアラ
７６            ベアラ
【図１】
0005387679.tif 000002
【図２】
0005387679.tif 000003
【図３】
0005387679.tif 000004
【図４】
0005387679.tif 000005
【図５】
0005387679.tif 000006
【図６】
0005387679.tif 000007
【図７】
0005387679.tif 000008
【図８】
0005387679.tif 000009
【図９】
0005387679.tif 000010
【図１０】
0005387679.tif 000011
【図１１】
0005387679.tif 000012
【図１２】
0005387679.tif 000013
【図１３】
0005387679.tif 000014
【図１４】
0005387679.tif 000015
【図１５】
0005387679.tif 000016
【図１６】
0005387679.tif 000017